(57)【要約】      （修正有）【課題】任意の場所で角度依存性なくＩＤを読み取り可能なＩＣタグチップを備えた芯線やケーブルを安価に提供する。【解決手段】複数のＩＣタグチップを等間隔に配置してテープ状にした媒体１０２を導体１０３である芯線上に絶縁物１０１を介して螺旋巻きつけを行い、当該芯線の任意の場所で、ＩＣタグチップのＩＤを認識させる芯線１００であって、隣り合うＩＣタグチップの間は等電位の導体で接続されている。【選択図】図１
2011010382.tif 000002
【特許請求の範囲】
【請求項１】
隣り合うＩＣタグチップをアンテナを介して相互に繋ぐことにより複数のＩＣタグチップをテープ状に接続したテープ状ＩＣタグが、導体である芯線上に絶縁物を介して螺旋状に巻きつけられていることを特徴とするＩＣタグケーブル用芯線。
【請求項２】
請求項１において、
隣り合う前記ＩＣタグチップの間は、糸状もしくはテープ状の等電位の導体で接続されていることを特徴とするＩＣタグケーブル用芯線。
【請求項３】
請求項１において、
前記各ＩＣタグチップの一方の電極がそれぞれ前記アンテナを介して隣り合う前記ＩＣタグチップの他方の電極と電気的に接続されていることを特徴とするＩＣタグケーブル用芯線。
【請求項４】
請求項１において、
矩形の絶縁性のアンテナカバーにより、前記ＩＣタグチップと該ＩＣタグチップに電気的に接続された左右一対の糸アンテナの端部とを挟み込み、前記テープ状ＩＣタグとしたことを特徴とするＩＣタグケーブル用芯線。
【請求項５】
請求項１において、
前記ＩＣタグチップを表面および裏面からサンドイッチ状に連続した絶縁性の同一の基板で挟み込み、当該基板の両端に前記ＩＣタグチップに電気的に接続された左右のアンテナ導体を同時に挟み込み、前記テープ状ＩＣタグとしたことを特徴とするＩＣタグケーブル用芯線。
【請求項６】
請求項５において、
前記左右のアンテナ導体を挟み込んだ部分の幅は前記ＩＣタグチップの搭載部分の幅より大きいことを特徴とするＩＣタグケーブル用芯線。
【請求項７】
複数の芯線と、該芯線を収納したシースとを備えたＩＣタグケーブルであって、
少なくとも１つの芯線が請求項１ないし６のいずれかに記載の前記ＩＣタグケーブル用芯線であることを特徴とするＩＣタグケーブル。
【請求項８】
ＩＣタグリーダと、情報処理システムとそのデータベースとを備え、
検出対象の導体であるケーブルの芯線には、絶縁物を介して、隣り合うＩＣタグチップを等電位の導体であるアンテナを介して相互に繋ぐことにより複数のＩＣタグチップをテープ状に接続したテープ状ＩＣタグが、螺旋状に巻きつけられており、
前記テープ状ＩＣタグの各ＩＣタグチップには、固有の識別ＩＤが付与されており、
前記データベースには、前記芯線をまとめたケーブルが製造がされる過程で、前記テープ状ＩＣタグの各ＩＣタグチップの識別ＩＤが登録されており、
前記ＩＣタグリーダにより、前記芯線の任意の場所で、前記ＩＣタグチップのＩＤを認識させることを特徴とするＩＣタグケーブルの位置検出システム。
【請求項９】
請求項８において、
隣り合うＩＣタグチップをアンテナを介して相互に繋ぐことにより複数のＩＣタグチップをテープ状に接続したテープ状ＩＣタグが、導体である複数の前記芯線上に絶縁物を介して螺旋状に巻きつけられており、
前記ＩＣタグリーダにより、当該の複数の芯線を有するケーブルの任意の場所で、前記テープ状ＩＣタグの任意のＩＣタグチップのＩＤを認識させることを特徴とするＩＣタグケーブルの位置検出システム。
【請求項１０】
ＩＣタグケーブルの位置検出システムを用いたＩＣタグケーブルの位置検出方法であって、
検出対象の導体であるケーブルの芯線には、絶縁物を介して、隣り合うＩＣタグチップを等電位の導体であるアンテナを介して相互に繋ぐことにより複数のＩＣタグチップをテープ状に接続したテープ状ＩＣタグが、螺旋状に巻きつけられており、
前記位置検出システムは、ＩＣタグリーダと、情報処理システムとそのデータベースとを備えており、
前記テープ状ＩＣタグの各ＩＣタグチップに、固有の識別ＩＤが付与されており、
前記芯線をまとめたケーブルが製造がされる過程で、前記テープ状ＩＣタグの各ＩＣタグチップの識別ＩＤを前記データベースに登録し、
前記ＩＣタグリーダにより、前記芯線の任意の場所で、前記テープ状ＩＣタグの任意のＩＣタグチップのＩＤを認識させることを特徴とするＩＣタグケーブルの位置検出方法。
【発明の詳細な説明】
【技術分野】
【０００１】
本発明は、ＩＣタグによりケーブルを認識するための、ＩＣタグケーブル用芯線、ＩＣタグケーブル、ＩＣタグケーブルの位置検出システム及び方法に関する。
【背景技術】
【０００２】
ケーブルの認識を行うために、ＩＣタグが活用されている。特許文献１などがその代表である。特許文献１の発明は、長尺のテープ本体に長手方向に間隔をおいてＲＦＩＣタグを貼着搭載した連長体を形成し、これを光ケーブル内に長手方向に螺旋巻きつけなしに内蔵する方法で多数のケーブルを認識しようとする方法である。
【０００３】
また、特許文献２には、複数のＩＣタグをケーブルに長手方向に螺旋巻きつけ、た識別情報付きケーブル及び識別情報付与方法が示されている。特許文献３には、外部から非接触で読み書き可能な情報記憶素子部を一定の間隔毎に配置した１本のテープを絶縁体に螺旋状に巻きつけたケーブルの例が示されている。また、特許文献４には、複数のＩＣタグが所定間隔を置いて配列されたＩＣタグ群をケーブルの外側に巻きつけた例が示されている。また、特許文献５には、合成樹脂材等で形成されたテープ本体に所定の間隔でＩＣチップが固定されたＩＣタグテープをケーブルに設けた例が示されている。さらに、特許文献６にも、外部から非接触で読み書き可能な複数の情報記憶素子部を連続して配設したテープ又は紐をケーブル長手方向に沿って配設した例が示されている。
【先行技術文献】
【特許文献】
【０００４】
【特許文献１】特開２００４-２６６８８６号公報
【特許文献２】特開２００５-３４７１３７号公報
【特許文献３】特開２００６-６５４７３号公報
【特許文献４】特開２００６-４８２５５号公報
【特許文献５】特開２００６-２４４１９号公報
【特許文献６】特開２００４-１４６０６８号公報
【発明の概要】
【発明が解決しようとする課題】
【０００５】
上記特許文献１に代表される方法によるケーブル認識を行うとき、連長体が螺旋巻きつけなしにケーブル内に内蔵されるために、ケーブルの角度によって読み取りが困難となる可能性がある。上記特許文献２から特許文献６の発明では、ＩＣタグがケーブルに巻きつけた例が示されているが、長尺のテープ等に個々のＩＣタグを貼り付けた状態でケーブルに巻きつけている。このような長尺のテープを製造するには、多数のＩＣタグチップを所定の間隔でテープ基材に貼り付け搭載する作業が必要となる。そのために、膨大な数のＩＣタグを巻き付ける必要のある長尺のケーブルでは、コスト高となり、実用化のための最大の障害として経済性に課題を有している。
【０００６】
本発明の主たる目的は、任意の場所で角度依存性なくＩＤを読み取り可能なＩＣタグケーブルを備えた芯線やケーブルを、安価に提供することにある。
【課題を解決するための手段】
【０００７】
上記課題を解決するために、本発明のＩＣタグケーブル用芯線は、隣り合うＩＣタグチップをアンテナを介して相互に繋ぐことにより複数のＩＣタグチップをテープ状に接続したテープ状ＩＣタグが、導体である芯線上に絶縁物を介して螺旋状に巻きつけられていることを特徴とする。
【発明の効果】
【０００８】
本発明によれば、ＩＣタグの螺旋巻きつけを行うことによって、ＩＣタグのアンテナを芯線またはケーブルの回りに巻きつけることになる。このことによって、ケーブルの角度をかえても読み取りが容易となり利便性が増す。また、ＩＣタグチップの間をアンテナとして用いるために、テープ基材が不要となり、低コスト化が可能となる。
【図面の簡単な説明】
【０００９】
【図１】本発明の第１の実施例になる、テープ状ＩＣタグが螺旋巻きつけられた芯線の斜視図である。
【図２Ａ】第１の実施例の芯線に巻きつけられるテープ状ＩＣタグの一例を示す平面図である。
【図２Ｂ】第１の実施例の芯線に巻きつけられるテープ状ＩＣタグの他の例を示す平面図である。
【図３】図１の芯線を束ねて形成された本発明の第１の実施例になるケーブルの断面図である。
【図４Ａ】第１の実施例の芯線におけるＩＣタグの識別ＩＤの読み取りについて、説明する図である。
【図４Ｂ】第１の実施例のケーブルにおけるＩＣタグの識別ＩＤの読み取りについて説明する図である。
【図５Ａ】本発明の第２の実施例になる、糸アンテナで連結されたテープ状ＩＣタグが螺旋巻きつけられた芯線の斜視図である。
【図５Ｂ】第２の実施例のアンテナで連結している部分の断面図を示す図である。
【図５Ｃ】第２の実施例におけるアンテナカバーを平面に展開した状態を示す図である。
【図６Ａ】本発明の第３の実施例になる、本テープアンテナとチップがカバーで接続連結されたテープ状ＩＣタグが螺旋巻きつけられた芯線の上面図である。
【図６Ｂ】図６ＡのＡ−Ａ’の断面を示す図である。
【図６Ｃ】図６ＡのＢ−Ｂ’の断面を示す図である。
【図６Ｄ】図６ＡのＣ−Ｃ’の断面を示す図である。
【発明を実施するための形態】
【００１０】
本発明の代表的な実施例を挙げると、次の通りである。  
（１）複数のＩＣタグチップを等間隔に配置してテープ状にした媒体を導体である芯線上に絶縁物を介して螺旋巻きつけを行い、当該芯線の任意の場所で、ＩＣタグチップのＩＤを認識させる芯線であって、隣り合うＩＣタグチップの間は等電位の導体で接続されている。
【００１１】
（２）複数のＩＣタグチップを等間隔に配置してテープ状にした媒体を導体である複数の芯線に絶縁物を介して螺旋巻きつけを行い、当該の複数の芯線であるケーブルの任意の場所で、ＩＣタグチップのＩＤを認識させる複数の芯線を備えたケーブルであって、隣り合うＩＣタグチップの間は等電位の導体で接続されている。  
以下、図面を参照しながら、本発明の実施例を詳細に説明する。
【実施例１】
【００１２】
まず、図１〜図４Ｂで本発明の第１の実施例を詳細に説明する。
【００１３】
図１は、本発明の第１の実施例になる芯線の斜視図である。図２Ａ及び図２Ｂは、図１の芯線に巻きつけられるテープ状ＩＣタグの各例の平面図である。図３は、図１の芯線を束ねて形成されたケーブルの断面図である。
【００１４】
図１において、芯線１００は、導体１０３とその周囲の絶縁被覆１０１と、この絶縁被覆１０１の外周に螺旋状に巻きつけられたテープ状に連続したテープ状ＩＣタグ１０２とで構成されている。テープ状ＩＣタグ１０２は、図２Ａや図２Ｂに示したように、ＩＣタグチップ２０１及び帯状の等電位配線（アンテナ）２０２で構成されており、全体として導電性である。各ＩＣタグチップ２０１は同じ構成である。また、各等電位配線２０２は、同じ形状、同じ材料で構成されている。
【００１５】
図２Ａにおいて、隣り合うＩＣタグチップ２０１、２０１の間には等電位配線２０２があって、ダイポールアンテナの役割を果たすと同時に、多数のＩＣタグチップを連結するテープ状の連結媒体の機能を有している。１本の等電位配線２０２の両端にはＩＣタグチップ２０１がそれぞれ接続されていることになる。
【００１６】
テープ状ＩＣタグ１０２は、芯線の絶縁被覆１０１に巻きつける前に、予め、複数のＩＣタグチップ２０１を各々等電位配線を介して繋ぐことで、テープ状に連続した長尺の構造体として形成し、リールなどに保持される。本発明では、複数のＩＣタグチップの間を接続する等電位配線をアンテナとして用いるために、複数のＩＣタグチップを貼り付け搭載するテープ基材を別途用意する必要がない。また、ＩＣタグを形成する過程でテープ状の連続体を形成するので、個々のＩＣタグチップをテープ基材に貼り付け搭載するような作業も不要である。そのため、低コスト化が可能となる。このテープ状ＩＣタグ１０２を形成している要素は、そのサイズの点で、ほとんどがアンテナから構成されているということが出来る。従って、絶縁被覆付き芯線１００の周囲には、ＩＣタグのアンテナが巻かれていることになる。
【００１７】
なお、図２Ａの例は、各ＩＣタグチップ２０１が両面電極型であり、チップはその両面に形成される両面電極対により、アンテナ２０２、２０２と接続されている。両面電極チップでは、チップの主面側と裏面側に１個づつの電極が存在する。それぞれの電極はアンテナ端子、グランド端子となっている。
【００１８】
一方、図２Ｂの例は、各ＩＣタグチップ２０１が片面電極型であり、各片面電極チップをアンテナ２０２、２０２に接続したものである。片面電極チップでは、チップの主面側に２個の電極が隣り合わせて存在する。裏面側には電極は存在しない。それぞれの電極はアンテナ端子、グランド端子となっている。
【００１９】
図２Ａの例はチップサイズが小さい場合、図２Ｂの例はチップサイズが大きい場合に適している。いずれの場合も、ＩＣタグ１０２の各ＩＣタグチップ２０１が左右のアンテナ２０２、２０２を介して電気的に接続されている。なお、図２Ａ、図２Ｂでは、左右のアンテナ２０２、２０２の幅が各ＩＣタグチップ２０１の幅よりも狭い例を示しているが、これらの幅の関係は逆であってもよく、あるいは実質的に同じ幅であっても良い。また、隣り合う２つのＩＣタグチップ２０１間の距離Ｌは、各ＩＣタグチップ２０１の左右一対のアンテナで構成されるダイポールアンテナの長さが、無線通信に使用される周波数λに対して受信感度のよい長さとするが、ＩＣタグチップのアンテナの受信感度の許容範囲で多少長いあるいは短いものとしても良い。すなわち、Ｌの大きさは、テープ状ＩＣタグ用途や読み取り方式に応じて適宜設定すればよい。
【００２０】
図３は、芯線１００を複数本束ねて形成されたケーブル１１０の断面図である。各芯線１００は、導体１０３とその周囲の絶縁被覆１０１と、この絶縁被覆１０１の外周に螺旋状に巻きつけられたテープ状に連続したＩＣタグ１０２と、シース１０５で構成されている。なお、絶縁被覆付き芯線１００を束ねたケーブルは、例えば、導電ケーブルや通信ケーブルとして用いられる。
【００２１】
なお、図３の例は、各芯線に個別にテープ状のＩＣタグが巻きつけられているが、用途によっては、複数の芯線を束ねたケーブル内に、全体として１本の、あるいは特定の複数の芯線に対応する複数本のテープ状ＩＣタグを螺旋状に設けても良い。
【００２２】
このテープ状ＩＣタグ１０２は、ＩＣチップを小型、薄型化することによって信頼性を向上することができる。たとえば、ＩＣタグチップとして、サイズが５０μｍ角で、厚さが５μｍ厚のＩＣタグチップがすでに２００７年２月のＩＳＳＣＣ（Ｉｎｔｅｒｎａｔｉｏｎａｌ  Ｓｏｌｉｄ−Ｓｔａｔｅ  Ｃｉｒｃｕｉｔｓ  Ｃｏｎｆｅｒｅｎｃｅ）で発表されている。このような小型、薄型のチップを使うことによって、絶縁被覆付き芯線や複数の絶縁被覆付き芯線に巻きつけるとき、ＩＣチップの突起が表にでることがなく、機械的摩擦や応力印加に強くすることができる。ＩＣタグのＩＤメモリはたとえば１２８ビットのＲＯＭ（Ｒｅａｄ  Ｏｎｌｙ  Ｍｅｍｏｒｙ）などであるが、本発明では他の選択を排除するものではない。
【００２３】
また、テープ状ＩＣタグの各ＩＣタグチップには、それらの製造過程で、固有の識別ＩＤが付与される。そして、絶縁被覆付き芯線１００に巻きつけられたテープ状ＩＣタグ、あるいは複数の絶縁被覆付き芯線をまとめたケーブル１１０に巻きつけられたテープ状ＩＣタグの各ＩＣタグチップの識別ＩＤは、絶縁被覆付き芯線や、複数の絶縁被覆付き芯線をまとめたケーブルが製造がされる過程で、順次、全数順番が狂うことなく読みとられ、ケーブルを用いた装置やシステムを管理する情報処理システムのデータベースに登録され、監視などに利用される。
【００２４】
次に、本発明を適用した芯線やケーブルにおけるＩＣタグケーブルの位置検出システム及び方法について、図４Ａ、図４Ｂで説明する。  
図４Ａは、絶縁被覆付き芯線１００に巻きつけられたテープ状ＩＣタグの読み取り方式の一例を示している。ＩＣタグケーブルの位置検出システムは、ＩＣタグリーダ４００と、情報処理システム４１０とそのデータベース４２０を備えている。４０１はＩＣタグリーダ４００のアンテナ、４０２は有効電波エリアの例を示している。ＩＣタグリーダ４００のアンテナ４０１をテープ状ＩＣタグが巻きつかれた絶縁被覆付き芯線１００に近づけると、ＩＣタグチップのアンテナからそのＩＣタグチップのＩＤを読み取ることができる。
【００２５】
すなわち、テープ状ＩＣタグを構成する等電位配線のアンテナ２０２にＩＣタグリーダ４００から電磁波を照射することによって、当該アンテナ２０２には高周波電流が流れる。相対的に読み出したいＩＣタグに近い方にリーダ４００をもっていくと、当該のＩＣチップの方に大きな電流が流れる。大きな電流が流れる方の反射率が大きくなるために、同時に複数のＩＣタグチップが動作してもひとつのＩＣタグが選択されてＩＤを読み取ることができる。例えば、ＩＣタグリーダ４００をＩＣタグチップ２０１ａに近づけるとそのアンテナはＩＣタグリーダ４００からの変調信号を受信し、ＩＣタグチップ２０１ａ内の処理回路でこの変調信号が復調され、識別情報すなわちメモリ内のＩＤ番号に対応した変調信号が生成され、リーダへ送信される。
【００２６】
ＩＣタグチップのアンテナ２０２は芯線１００の全長に渡り回りにめぐらされているために、芯線１００の位置や角度に大きな制約を受けることなく読み取りが可能となる。また、芯線１００を回転させても、ＩＣタグチップのピッチの単位でＩＤを読み取ることが可能となり、利便性が増す。すなわち、絶縁被覆付き芯線１００が回転しても、ＩＤを容易に読み取ることができる。
【００２７】
ＩＣタグリーダで読み取られたＩＣタグの識別ＩＤは、その芯線やケーブルを用いた装置やシステムを管理する情報処理システムに送られる。読み取り対象のケーブルに関するＩＣタグの識別ＩＤは、予め、情報処理システムのデータベースに登録されている。ＩＣタグの識別ＩＤは、一義的に属性が決定されるために、どのような種類の芯線であっても識別ＩＤを一義的に特定することができ、芯線の種類や位置を容易に検出できる。
【００２８】
次に、図４Ｂは、絶縁被覆付き芯線１００に巻きつけられたテープ状ＩＣタグを有する、ケーブルにおける読み取りの一例を示している。ＩＣタグリーダ４００のアンテナ４０１をケーブルに近づけると、特定の被覆付き芯線、例えば芯線１００ＡのＩＣタグチップのアンテナ２０１ＡからそのＩＣタグチップのＩＤを読み取ることができる。ケーブルの角度をかえてもＩＤの読み取りは容易である。
【００２９】
複数の芯線をまとめたケーブルに巻きつけられたＩＣタグのＩＤは、順次、芯線をまとめたケーブルが製造されたときに全数順番が狂うことなく読みとられ、データベースに登録されている。このデータベースに登録されたＩＤは一義的に属性が決定されるために、どのような種類のケーブルであっても一義的にＩＤを特定することができ、ケーブル内の芯線の種類や位置を容易に検出できる。
【００３０】
なお、用途によっては、ケーブル内の芯線の間隔が狭く、有効電波エリア４０２内に複数の芯線、すなわち、複数のＩＣタグチップが存在することになる場合もある。このようなときは、例えば、ＩＣタグリーダ４００から互いに異なるクロックパルス間隔のクロックパルスを変調した信号を組み合わせて近接したＩＣタグチップのＩＤの読み取りを制御するなどの方法を採用すれば良い。
【００３１】
また、複数の芯線を束ねたケーブル状のものにも、このＩＣタグを螺旋状に巻きつけたものに対しても、同様に、ケーブルが回転してもＩＤを読み取ることができる。
【００３２】
このように、本実施例によれば、芯線やケーブルが回転しても、ＩＤを容易に読み取ることができる。また、複数のＩＣタグチップの間をアンテナとして用いるために、複数のＩＣタグチップを貼り付け搭載するテープ基材が不要となり、貼り付け作業も不要なため、低コスト化が可能となる。
【実施例２】
【００３３】
本発明のテープ状ＩＣタグの第２の実施例を、図５Ａ〜図５Ｃで説明する。  
本実施例では、ＩＣタグチップ３０１を等間隔に配置し、糸アンテナ３０２及び絶縁性のアンテナカバー３０３で接続してテープ状にすることにより、テープ状ＩＣタグ１０２を形成する。すなわち、図５Ａに示したように、隣り合う糸アンテナ３０２が、アンテナカバー３０３によって、ＩＣタグチップ３０１と共に挟み込みこまれ、接続されている。図５Ｂは、アンテナカバー３０３によって、糸アンテナ３０２とＩＣタグチップ３０１が接続されている断面図を示している。図５Ｃは、アンテナカバー３０３を平面に展開した状態を示している。絶縁性のアンテナカバー３０３は、矩形の平面形状をしており、その上に、ＩＣタグチップ３０１と左右一対の糸アンテナ３０２、３０２が載置され、ＩＣタグチップ３０１の一方の電極と一方の糸アンテナ３０２、ＩＣタグチップ３０１の他方の電極と他方の糸アンテナ３０２とが、各々、導体パターンやワイヤボンディング３０４等で電気的に接続される。
【００３４】
このようにして、ＩＣタグ１０２を構成する各ＩＣタグチップ３０１が左右の糸アンテナ３０２を介して電気的に接続されている。また、隣り合う２つのＩＣタグチップ３０１間の距離Ｌ、換言すると各糸アンテナ３０２の単体の長さは、一対のアンテナで構成されるダイポールアンテナの長さが、無線通信に使用される周波数λに対して受信感度のよい長さ、あるいは、これよりも多少長いあるいは短いものとする。Ｌの大きさは、テープ状ＩＣタグ用途や読み取り方式に応じて適宜設定すればよい。
【００３５】
本実施例のテープ状ＩＣタグ１０２も、実施例１の場合と同様に、絶縁被覆付き芯線や、複数の絶縁被覆付き芯線に螺旋状に巻きつけられる。本実施例においても、テープ状ＩＣタグ１０２を形成している要素は、そのサイズの点で、ほとんどがアンテナから構成されているということが出来る。従って、絶縁被覆付き芯線１００の周囲には、ＩＣタグのアンテナが巻かれていることになる。
【００３６】
すなわち、複数のＩＣタグチップ３０１が等間隔に位置し、これらＩＣタグチップの間は糸状の等電位の導体すなわち糸アンテナで接続されており、このようにしてテープ状にしたテープ状ＩＣタグ１０２を形成し、このテープ状ＩＣタグ１０２を、導体である芯線上に絶縁物を介して、螺旋巻きつけを行い、当該の芯線の任意の場所で、ＩＣタグチップのＩＤを認識させる芯線とする。
【００３７】
あるいは、さらに、複数のＩＣタグチップを等間隔に配置し糸アンテナで接続することによりテープ状にしたテープ状ＩＣタグ１０２を、導体である複数の芯線であるケーブル上に絶縁物を介して、螺旋巻きつけを行い、当該の複数の芯線であるケーブルの任意の場所で、ＩＣタグチップのＩＤを認識させるケーブルとする。
【００３８】
本実施例でも、テープ状ＩＣタグの螺旋巻きつけを行うことによって、ＩＣタグのアンテナを芯線またはケーブルの回りに巻きつけることになる。このことによって、ケーブルの角度をかえてもＩＤの読み取りが容易となり利便性が増す。また、隣り合うＩＣタグチップを糸アンテナで接続してテープ状ＩＣタグとしているために、テープ基材が不要となり、低コスト化が可能となる。
【実施例３】
【００３９】
本発明のテープ状ＩＣタグの第３の実施例を、図６Ａ〜図６Ｄで説明する。  
図６Ａは、本実施例のアンテナカバーを平面に展開した状態を示している。図６Ｂは図６ＡのＡ−Ａ’断面、図６Ｃは図６ＡのＢ−Ｂ’断面、図６Ｄは図６ＡのＣ−Ｃ’断面を示す図である。
【００４０】
本実施例のテープ状ＩＣタグ１０２は、アンテナカバー５０３によって、ＩＣタグチップ３０１と共に隣り合うテープアンテナ５０２、５０２が接続されている。  
すなわち、ＩＣタグチップ３０１を表面および裏面からサンドイッチ状に連続した絶縁性の同一基板（アンテナカバー）５０３で挟み込み、基板５０３の両端部には左右のアンテナ導体（テープアンテナ）５０２、５０２を同時に挟み込んでテープ状ＩＣタグ１０２とする。ＩＣタグチップ３０１は、アンテナカバー５０３のほぼ中央に固定されており、ＩＣタグチップ３０１の各電極と左右のアンテナ導体５０２、５０２とは、導体パターンやワイヤボンディング５０４等で電気的に接続される。図６Ｃと図６Ｄから明らかな通り、アンテナカバー５０３で挟み込んだ部分のアンテナ導体の幅はチップ搭載部分の幅より大きい。
【００４１】
各アンテナ導体の長さは、実施例１や２の場合と同様な観点で決めることができる。本実施例のテープ状ＩＣタグ１０２も、実施例１や２の場合と同様に、絶縁被覆付き芯線や、複数の絶縁被覆付き芯線に螺旋状に巻きつけられる。本実施例においても、テープ状ＩＣタグ１０２を形成している要素は、そのサイズの点で、ほとんどがアンテナから構成されているということが出来る。従って、絶縁被覆付き芯線１００の周囲には、ＩＣタグのアンテナが巻かれていることになる。
【００４２】
すなわち、ＩＣタグチップを等間隔に配置してテープ状にしたテープ状ＩＣタグを導体である芯線上に絶縁物を介して、螺旋巻きつけを行い、当該の芯線の任意の場所で、ＩＣタグチップのＩＤを認識させる芯線とする。または、ＩＣタグチップを等間隔に配置してテープ状にしたテープ状ＩＣタグを導体である複数の芯線であるケーブル上に絶縁物を介して、螺旋巻きつけを行う。そして、当該の複数の芯線であるケーブルの任意の場所で、ＩＣタグチップのＩＤを認識させる。特に、テープ状テープ状ＩＣタグの各ＩＣタグチップの間は等電位の導体で接続されていて当該等電位の導体はテープ状である。ＩＣタグチップを表面および裏面からサンドイッチ状に連続した同一基板で挟み込む当該基板の両端はアンテナ導体を同時に挟み込むＩＣタグで、挟み込んだ部分の厚さはチップ搭載部分より厚いことを特徴とするＩＣタグとすることにより、紙漉きのときのローラの加圧力に強いＩＣタグとすることができる。
【００４３】
なお、以上の実施例では、絶縁被覆付き芯線が導電体の導電ケーブルや通信ケーブルについて説明したが、本発明は、導電体に限らず、光ファイバーやそれらを用いた光ケーブルについても適用できることは言うまでも無い。
【符号の説明】
【００４４】
１００…絶縁被覆付き芯線、
１０１…絶縁被覆、
１０２…テープ状ＩＣタグ、
１０３…導体、
１１０…ケーブル、
２０１…ＩＣタグチップ、
２０２…等電位配線（アンテナ）、
３０１…ＩＣタグチップ、
３０２…糸アンテナ、
３０３…アンテナカバー、
３０４…導体パターンやワイヤボンディング、
４００…ＩＣタグリーダ、
４０１…ＩＣタグリーダのアンテナ、
４０２…有効電波エリア、
４１０…情報処理システム、
４２０…データベース、
５０２…テープアンテナ、
５０３…基板（アンテナカバー）、
５０４…導体パターンやワイヤボンディング。
【図１】
2011010382.tif 000003
【図２Ａ】
2011010382.tif 000004
【図２Ｂ】
2011010382.tif 000005
【図３】
2011010382.tif 000006
【図４Ａ】
2011010382.tif 000007
【図４Ｂ】
2011010382.tif 000008
【図５Ａ】
2011010382.tif 000009
【図５Ｂ】
2011010382.tif 000010
【図５Ｃ】
2011010382.tif 000011
【図６Ａ】
2011010382.tif 000012
【図６Ｂ】
2011010382.tif 000013
【図６Ｃ】
2011010382.tif 000014
【図６Ｄ】
2011010382.tif 000015